(57)【要約】【課題】光ピックアップのレーザーダイオードの照射口に配置されるグレーティングとカップリングレンズの構成に関する装置を提供する。【解決手段】レーザーダイオード２からの光ビームを効率良く利用するべく光ビームの広がり角を調整するカップリングレンズ７を備える光ピックアップにおいて、前記カップリングレンズ７を所定の第１の合成樹脂により構成すると共に、光ピックアップに備える前記カップリングレンズ７以外の所定の光学素子を前記第１の合成樹脂に対して温度補償特性を有する第２の合成樹脂により構成するようにした。【選択図】　　図１
2004079116.tif 000002
【特許請求の範囲】
【請求項１】
レーザーダイオードからの光ビームを効率良く利用するべく光ビームの広がり角を調整するカップリングレンズを備える光ピックアップにおいて、前記カップリングレンズを所定の第１の合成樹脂により構成すると共に、光ピックアップに備える前記カップリングレンズ以外の所定の光学素子を前記第１の合成樹脂に対して温度補償特性を有する第２の合成樹脂により構成したことを特徴とする光ピックアップ装置。
【請求項２】
前記第２の合成樹脂により構成される所定の光学素子をレーザーダイオードからの光ビームを３ビームに回折するグレーティングとしたことを特徴とする請求項１に記載の光ピックアップ装置。
【請求項３】
第１の合成樹脂に使用されるカップリングレンズの材料はポリオレフィン系とし、第２の合成樹脂に使用するグレーティングの材料をアクリル系の材料を使用したことを特徴とする請求項２に記載の光ピックアップ装置。
【請求項４】
レーザーダイオードとグレーティングとカップリングレンズを金属製のホルダーに組み込みハウジングに設けた装着孔に取付けたことを特徴とする請求項３に記載の光ピックアップ装置。
【発明の詳細な説明】
【０００１】
【発明の属する技術分野】
本発明は、光ピックアップの光源となるレーザーダイオードの照射口に配置されるグレーティングとカップリングレンズの構成に関する光ピックアップ装置。
【０００２】
【従来の技術】
信号記録媒体であるＣＤ−ＲやＤＶＤ等の記録用に採用される光ピックアップのレーザーダイオードは、ＣＤを例としてＣＤ再生用のレーザーパワーは約０．７ｍＷ、記録用のレーザーパワーは７４ｍＷｍａｘと２桁違うレーザーダイオードが必要であり、レーザー発光パワーを効率よく利用させるためにレーザー光を集光するレンズであるカップリングレンズは必須となり、該カップリングレンズはＮＡに対し温度上昇に対し変化のないガラス材質を採用するのが一般的となっていた。
【０００３】
【発明が解決しようとする課題】
レーザーダイオードの放射口に配置したカップリングレンズは温度変化による膨張や収縮によるＮＡの変化のない、即ち焦点距離の変化が無いガラス材質を採用しており、このように構成された光ピックアップは材料費が高価となり、製品コストが上昇していた。また、コストダウンによる合成樹脂製のカップリングレンズを採用した場合、温度上昇によりフォーカスの位置が伸びるため、ピントずれが生じることとなり、記録ジッターの悪化による性能の低下となった。
【０００４】
本発明は、斯かる問題を解決した光ピックアップ装置を提供しようとするものである。
【０００５】
【課題を解決するための手段】
信号記録媒体の信号を読み取りまたは書き込みのためレーザーダイオードより光ビームを光源として照射され、グレーティングと光ビームを集光するカップリングレンズを配置する構成の光ピックアップ装置において、グレーティングとカップリングレンズは合成樹脂製を使用し、合成樹脂の温度特性を組合わし、ＮＡ比がお互いに相殺するよう温度補正をしたものである。
【０００６】
【実施例】
図１は本発明を説明する要部の分解斜視図、図２は図１に示した要部の断面図、図３はカップリングレンズとグレーティングの温度変化によるＤ・ＦＯＣＵＳの値、図４は図３に記載した値をグラフに置き換えたカップリングレンズの特性図、図５は図３に記載した値をグラフに置き換えたグレーティングの特性図である。
【０００７】
図において１は光学部品が取り付けられるハウジング、２は記憶媒体に読み取りまたは書き込み動作を行うためのレーザー光を放射する円筒状のレーザーダイオードであり、該レーザーダイオード２より放射されるレーザー光の放射面の後面には供給端子を有するとともに平面状の押圧面２ａが設けられている。
【０００８】
３は前記レーザーダイオード２を挿入保持する金属製のホルダー、３ａは前記ホルダー３の中央部より円筒形状で貫通するとともに先端部が小径孔状に成型されている保持孔であり、下面の一部が開放された形状に成型された保持孔３ａに対し両側面には取付用の貫通孔３ｂ、３ｃが設けられている。
【０００９】
４はアクリル系であるＰＭＭＡの材料を使用したグレーティングであり、ワッシャ５とバネ６及びレーザーダイオード２を連なって前記保持孔３ａ内に配置される。７は前記ホルダー３の前面に配置される合成樹脂製の環状ポリオレフィン材料を使用したカップリングレンズ、８は前記ハウジング１に設けられホルダー３を装着する円形状の装着孔であり、該装着孔８の両端部には前記ホルダー３を取付けるネジ切りされたネジ孔８ａ、８ｂが設けられている。９は前記レーザーダイオード２の押圧面２ａを押圧する押圧片９ａ、９ｂを有する金属製の押圧板であり、該押圧板９が固定される取付け孔９ｃ、９ｄが設けられている。１０、１１は押圧板９とレーザーダイオード２などの光学部品が組み込まれているホルダー３をハウジング１に取付ける取付けネジである。
【００１０】
斯かる構成において、レーザーダイオード２などの光学部品をハウジング１の装着孔８に固定する場合には、まず、図１に示す通り、ホルダー３の先端部にカップリングレンズ７を前面より接着剤にて接着し、次に保持孔３ａ内にグレーティング４とワッシャ５とバネ６及びレーザーダイオード２を挿入し、該レーザーダイオード２の押圧面２ａに押圧板９に設けた押圧片９ａ、９ｂにより押圧した状態において、取付けネジ１０を取付孔９ｃより貫通孔３ｂを介してネジ孔８ａに締付け固定される。また、取付けネジ１１も取付孔９ｄより貫通孔３ｃを介してネジ孔８ｂに締付け固定される。
【００１１】
カップリングレンズ７のみの合成樹脂を使用した場合、温度変化量に伴ってフォーカス位置も変化するものであり、レーザーダイオードから放射されるレーザー光はフォーカスが取れないものとなり、ジッターの悪化により性能が得られないものである。しかし、本発明では図３に示すデータの通りグレーティング４にＰＭＭＡをカップリングレンズ７に環状ポリオレフィン材料を使用した実験結果のデータを示すＤ・ＦＯＣＵＳの変化量であり、該変化量は図５のグラフに示すように温度の上昇に対して右下りを表している。
【００１２】
また、図３に示す実験結果のデータを示したＤ・ＦＯＣＵＳの変化量であり、該変化量は図４のグラフに示すように温度の上昇に対して右上りを表している。そして、フォーカスずれ量を補正する場合において、各部品材料の中心厚を決定することで、フォーカスずれ量を補正することができる。
【００１３】
上述したようにグレーティング４とカップリングレンズ７の温度特性は相反する特性を示しており、レーザーダイオード２より放射されるレーザー光はグレーティング４とカップリングレンズ７を通過することにより各々持つ特性により相殺することになり、フォーカスのバランスが崩れないこととなり、良好な特性を得ることができる。
【００１４】
【発明の効果】
本発明は、グレーティングとカップリングレンズは合成樹脂製を使用し、合成樹脂の温度特性を組合わし、ＮＡ比がお互いに相殺するよう温度補正をしたので、ガラス材に比較し、大幅なコストダウンが可能になる効果を有している。また、金属製のホルダー内にグレーティングとカップリングレンズを組み込んだので、レーザーダイオードの放熱によるグレーティングとカップリングレンズは共に熱伝導率が同じになり、共に同じ温度上昇値が得られることから設定通りの特性が得られ、フォーカスバランスが崩れないという温度特性に優れたものである。
【図面の簡単な説明】
【図１】本発明の一実施例の要部を示す分解斜視図である。
【図２】本発明の図１に示した要部を示す断面図である。
【図３】本発明の説明に使用するデータ表である。
【図４】図３に示すカップリングレンズの温度変化をグラフにしたのもである。
【図５】図３に示すグレーティングの温度変化をグラフにしたのもである。
【符号の説明】
１　　　　ハウジング
２　　　　レーザーダイオード
３　　　　ホルダー
４　　　　グレーティング
７　　　　カップリングレンズ
８　　　　装着孔
【図１】
2004079116.tif 000003
【図２】
2004079116.tif 000004
【図３】
2004079116.tif 000005
【図４】
2004079116.tif 000006
【図５】
2004079116.tif 000007